(57)【特許請求の範囲】
【請求項１】
通信デバイスを動作させて送信バックログ情報を伝達させる方法において、
前記方法は、
送信されるのを待っているデータ量についてのバックログ情報を伝達する第１のバックログレポートを第１の時点で送信し、前記第１のバックログレポートは、バックログレポートの複数のフォーマットの中から選択された前記第１のバックログレポートのフォーマットに対応する、１つ以上の基準値を含むことと、
追加のバックログ情報を伝達する第２のバックログレポートを第２の時点で送信し、前記追加の情報のうちの少なくともいくつかは、前記１つ以上の基準値を使用して計算される差分値として伝達されることと、
第１の送信デッドラインにより送信されるのを待っている少なくとも１単位のデータがあるかどうかに関する表示を、前記差分値に加えて、前記第２のレポート中で伝達することを含む方法。
【請求項２】
前記第１のバックログレポートは、第１の固定されたサイズのレポートであり、前記第２のバックログレポートは、前記第１の固定されたサイズのレポートよりも少ないビットを含んでいる第２の固定されたサイズのレポートである請求項１記載の方法。
【請求項３】
前記第１の送信デッドラインは、予め定められた送信デッドラインである請求項１記載の方法。
【請求項４】
前記予め定められた送信デッドラインは、前記第２のレポートの送信に対応する伝達時間に対して相対的なものである請求項３記載の方法。
【請求項５】
前記第１および第２のレポートのうちの一方は、３ビットのレポートであり、前記第１および第２のレポートのうちの他方は、４ビットのレポートである請求項３記載の方法。
【請求項６】
前記通信デバイスは、移動ノードであり、前記第１および第２のレポートは、アップリンクトラフィックチャネル要求レポートである請求項５記載の方法。
【請求項７】
通信デバイスにおいて、
送信されるのを待っているデータ量についての情報を維持するバックログ監視モジュールと、
異なるタイプのバックログ関連情報を伝達するバックログレポートを発生させるレポート発生モジュールと、
送信されるのを待っているデータ量についてのバックログ情報を伝達する第１のバックログレポートを第１の時点で送信し、追加のバックログ情報を伝達する第２のバックログレポートを第２の時点で送信する手段とを具備し、
前記異なるタイプのバックログ関連情報のうちの１つは、差分タイプの情報であり、
前記第１のバックログレポートは、バックログレポートの複数のフォーマットの中から選択された前記第１のバックログレポートのフォーマットに対応する、１つ以上の基準値を含み、
前記追加のバックログ情報のうちの少なくともいくつかは、前記１つ以上の基準値を使用して計算される差分値として伝達され、
前記レポート発生モジュールは、差分値と、第１の送信デッドラインにより送信されるのを待っている少なくとも１単位のデータがあるかどうかに関する表示との両方をレポートにエンコードするエンコーディングモジュールを含む通信デバイス。
【請求項８】
前記第１のバックログレポートは、第１の固定されたサイズのレポートであり、前記第２のバックログレポートは、前記第１の固定されたサイズのレポートよりも少ないビットを含んでいる第２の固定されたサイズのレポートである請求項７記載の通信デバイス。
【請求項９】
前記第１の送信デッドラインは、予め定められた送信デッドラインである請求項７記載の通信デバイス。
【請求項１０】
前記予め定められた送信デッドラインは、前記レポートの送信に対応する伝達時間に対して相対的なものである請求項９記載の通信デバイス。
【請求項１１】
前記第１および第２のレポートのうちの一方は、３ビットのレポートであり、前記第１および第２のレポートのうちの他方は、４ビットのレポートである請求項９記載の通信デバイス。
【請求項１２】
前記通信デバイスは、移動ノードであり、前記第１および第２のレポートは、アップリンクトラフィックチャネル要求レポートである請求項１１記載の通信デバイス。
【請求項１３】
通信デバイスにおいて、
送信されるのを待っているデータ量についての情報を維持するバックログを監視する手段と、
異なるタイプのバックログ関連情報を伝達するバックログレポートを発生させる手段と、
送信されるのを待っているデータ量についてのバックログ情報を伝達する第１のバックログレポートを第１の時点で送信し、追加のバックログ情報を伝達する第２のバックログレポートを第２の時点で送信する手段とを具備し、
前記異なるタイプのバックログ関連情報のうちの１つは、差分タイプの情報であり、
前記第１のバックログレポートは、バックログレポートの複数のフォーマットの中から選択された前記第１のバックログレポートのフォーマットに対応する、１つ以上の基準値を含み、
前記追加のバックログ情報のうちの少なくともいくつかは、前記１つ以上の基準値を使用して計算される差分値として伝達され、
前記バックログレポートを発生させる手段は、差分値と、第１の送信デッドラインにより送信されるのを待っている少なくとも１単位のデータがあるかどうかに関する表示との両方をレポートにエンコードする手段を含む通信デバイス。
【請求項１４】
前記第１のバックログレポートは、第１の固定されたサイズのレポートであり、前記第２のバックログレポートは、前記第１の固定されたサイズのレポートよりも少ないビットを含んでいる第２の固定されたサイズのレポートである請求項１３記載の通信デバイス。
【請求項１５】
通信デバイスを制御して、方法を実現するための機械実行可能命令が組み入れられたコンピュータ読み取り可能媒体において、
前記方法は、
送信されるのを待っているデータ量についてのバックログ情報を伝達する第１のバックログレポートを第１の時点で送信し、前記第１のバックログレポートは、バックログレポートの複数のフォーマットの中から選択された前記第１のバックログレポートのフォーマットに対応する、１つ以上の基準値を含むことと、
追加のバックログ情報を伝達する第２のバックログレポートを第２の時点で送信し、前記追加の情報のうちの少なくともいくつかは、前記１つ以上の基準値を使用して計算される差分値として伝達されることと、
第１の送信デッドラインにより送信されるのを待っている少なくとも１単位のデータがあるかどうかに関する表示を、前記差分値に加えて、前記第２のレポート中で伝達することとを含むコンピュータ読み取り可能媒体。
【請求項１６】
前記第１のバックログレポートは、第１の固定されたサイズのレポートであり、前記第２のバックログレポートは、前記第１の固定されたサイズのレポートよりも少ないビットを含んでいる第２の固定されたサイズのレポートである請求項１５記載のコンピュータ読み取り可能媒体。
【請求項１７】
デバイスにおいて、
送信されるのを待っているデータ量についてのバックログ情報を伝達する第１のバックログレポートを第１の時点で送信し、
追加のバックログ情報を伝達する第２のバックログレポートを第２の時点で送信するように構成されたプロセッサを具備し、
前記第１のバックログレポートは、バックログレポートの複数のフォーマットの中から選択された前記第１のバックログレポートのフォーマットに対応する、１つ以上の基準値を含み、
前記追加の情報のうちの少なくともいくつかは、前記１つ以上の基準値を使用して計算される差分値として伝達され、
前記プロセッサは、第１の送信デッドラインにより送信されるのを待っている少なくとも１単位のデータがあるかどうかに関する表示を、前記差分値に加えて、前記第２のレポート中で伝達するようにさらに構成されているデバイス。
【請求項１８】
前記第１のバックログレポートは、第１の固定されたサイズのレポートであり、前記第２のバックログレポートは、前記第１の固定されたサイズのレポートよりも少ないビットを含んでいる第２の固定されたサイズのレポートである請求項１７記載のデバイス。
【発明の詳細な説明】
【発明の分野】
【０００１】
本発明は、ワイヤレス通信方法および装置に関し、より詳細には、バックログ関連情報を伝達することに関連した方法および装置に関する。
【背景】
【０００２】
例えば、ワイヤレス端末から基地局へのアップリンクユーザデータのような、アップリンクトラフィックをサポートするワイヤレス通信システムにおけるワイヤレス端末は、通信制御情報とユーザデータとの両方に対して、アップリンクのエアリンクリソースを使用する必要がある。多元接続ワイヤレス通信システムにおいて、通常、基地局のアタッチメントポイントを使用する複数のワイヤレス端末は、貴重なアップリンクのエアリンクリソース、例えば、アップリンクのトラフィックチャネルエアリンクリソースに対して競合している。アップリンクのトラフィックチャネルリソースを分割する１つのアプローチは、ワイヤレス端末がそれらの現在の基地局のアタッチメントポイントに対してリソース要求を送り、そして、基地局が、スケジューリングルールにしたがって、競合する要求を考慮し、例えば、アップリンクのトラフィックチャネルセグメントのようなリソースを割り振ることである。
【０００３】
要求レポーティングの１つのアプローチにおいて、ワイヤレス端末は、それぞれの後の要求レポーティングの機会の間に絶対的なバックログを報告する。このアプローチは、実現するのは簡単であるが、あまり効率的でない。送信されるのを待っているキューに入れられているアップリンクトラフィックのバックログの量に関して、１つの要求機会から別の要求機会までに、ワイヤレス端末は著しく変化していないかもしれない。例えば、他のワイヤレス端末がより高い優先順位を有することを必要とするために、基地局は、要求間のトラフィックに対して、何らかのアップリンクリソースをワイヤレス端末に割り振らないことを決定しているかもしれない。別の例として、送信のキューのバックログを空にするために必要とされる総リソース量のうちほんの少しの部分のみをワイヤレスに割り振るかもしれない。
【０００４】
効率的な要求レポーティングの実現は、オーバーヘッドシグナリングを減少させ、それゆえに、アップリンクトラフィックに対してより多くのリソースを利用可能にさせることを理解すべきである。上の記述に基づいて、効率的な方法で制御情報を報告する方法および装置に対する必要性があることを理解すべきである。少なくともいくつかの効率的なレポーティング方法を考案できる場合、少なくともいくつかのレポートにおいて、以前に伝達されたバックログ情報を利用することが望ましい。
【概要】
【０００５】
さまざまな実施形態は、例えば、ワイヤレス端末により送信されるのを待っているアップリンクトラフィックの量を示すバックログ情報のようなバックログ情報を伝達する方法および装置に向けられている。デルタバックログレポートが、絶対的なバックログレポートに加えて使用され、それゆえに、制御シグナリングオーバーヘッドを減少させる。デルタバックログレポート中で伝達される少なくともいくつかの情報は、以前に送信されたバックログレポートを参照している。アップリンクトラフィックチャネルセグメントのスケジューリングを決定する際に、基地局は、ワイヤレス端末から受信したレポートを含む受信バックログ情報を使用する。いくつかの実施形態において、絶対的なバックログレポートは、第１の固定されたサイズのレポートフォーマットを使用するが、デルタバックログレポートは、第２の固定されたサイズのレポートフォーマットを使用し、第２のサイズは、第１の固定されたサイズと異なる。
【０００６】
さまざまな例示的な実施形態において、通信デバイスを動作させて送信バックログ情報を伝達させる方法は、送信されるのを待っているデータ量についてのバックログ情報を伝達する第１のバックログレポートを第１の時点で送信することと、追加のバックログ情報を伝達する第２のバックログレポートを第２の時点で送信することとを含み、追加の情報の少なくともいくつかは、第１のバックログレポートにより伝達された値を使用して計算される差分値として伝達される。さまざまな実施形態にしたがう例示的な通信デバイスは、送信されるのを待っているデータ量についての情報を維持するバックログ監視モジュールと、異なるタイプのバックログ関連情報を伝達するバックログレポートを発生させるレポート発生モジュールとを含み、異なるタイプのバックログ関連情報のうちの１つは、差分タイプの情報である。
【０００７】
さまざまな実施形態を上の概要で論じているが、すべての実施形態が、必ずしも同一の特徴を含むわけでなく、上述した特徴のいくつかは必要ではないが、いくつかの実施形態において望まれることを理解すべきである。本発明の多数の追加の特徴、実施形態、および利益を、以下の詳細な説明で論じる。
【図面の簡単な説明】
【０００８】
【図１】図１は、さまざまな実施形態にしたがって実現される例示的なワイヤレス通信システムの図面である。
【図２】図２は、さまざまな実施形態にしたがう、例えば、移動ノードのような、例示的なワイヤレス端末の図面である。
【図３】図３は、さまざまな実施形態にしたがう、例えば、アクセスノードのような、例示的な基地局の図面である。
【図４】図４は、さまざまな実施形態にしたがって、例えば、基地局に、送信バックログ情報を伝達する、例えば、移動ノードのようなワイヤレス端末などの、通信デバイスの例示的な動作方法のフローチャートの図面である。
【図５】図５は、さまざまな実施形態にしたがって、例えば、基地局に、送信バックログ情報を伝達する、例えば、移動ノードのようなワイヤレス端末などの、通信デバイスの例示的な動作方法のフローチャートの図面である。
【図６】図６は、図６Ａと図６Ｂとの組み合わせから構成されている、さまざまな実施形態にしたがった、ワイヤレス端末の例示的な動作方法のフローチャートの図面である。
【図６Ａ】図６Ａは、さまざまな実施形態にしたがった、ワイヤレス端末の例示的な動作方法のフローチャートの図面である。
【図６Ｂ】図６Ｂは、さまざまな実施形態にしたがった、ワイヤレス端末の例示的な動作方法のフローチャートの図面である。
【図７】図７は、例示的な直交周波数分割多重（ＯＦＤＭ）多元接続ワイヤレス通信システムにおける例示的なアップリンクタイミングおよび周波数構造中の例示的なアップリンク専用制御チャネル（ＤＣＣＨ）セグメントの図面である。
【図８】図８は、図７の専用制御チャネルセグメントを使用して伝達できる例示的な専用制御レポートをリスト表示する表の図面である。
【図９】図９は、例えば、ワイヤレス端末に対応する、所定のＤＣＣＨトーンに対する、例えば、ビーコンスロットのような、例示的な時間間隔中の例示的なレポーティングフォーマット情報を図示する図面である。
【図１０】図１０は、第１の例示的な要求辞書にしたがった、１ビットのアップリンク要求レポートに対するフォーマットを記述するビットパターンマッピング表に対する情報の図面である。
【図１１】図１１は、図１２および図１３に対応する例示的な第１の要求辞書を使用するときに、３および４ビットのアップリンク要求レポートに対するレポート値を決定する際に利用される制御要素を決定するために使用される例示的な表の図面である。
【図１２】図１２は、第１の例示的な要求辞書にしたがった、４ビットのアップリンク要求レポートに対するフォーマットを記述するビットパターンマッピング表に対する情報の図面であり、図１２にしたがって発生される４ビットのレポート中で伝達される情報は、図１３にしたがって発生される後続の３ビットのレポートにおいて参照として利用可能である。
【図１３】図１３は、第１の例示的な要求辞書にしたがった、３ビットのアップリンク要求レポートに対するフォーマットを記述するビットパターンマッピング表に対する情報の図面であり、図１３にしたがって発生される３ビットのレポートは、図１２にしたがって以前に伝達された４ビットのアップリンク要求レポートに関するデルタバックログ情報を伝達する。
【図１４】図１４は、図１６ないし１７および１９ないし２０に対応する例示的な第２および第３の要求辞書を使用するときに、３および４ビットのアップリンク要求レポートに対するレポート値を決定する際に利用される制御要素を決定するために使用される例示的な表の図面である。
【図１５】図１５は、第２の例示的な要求辞書にしたがった、１ビットのアップリンク要求レポートに対するフォーマットを記述するビットパターンマッピング表に対する情報の図面である。
【図１６】図１６は、第２の例示的な要求辞書にしたがった、３ビットのアップリンク要求レポートに対するフォーマットを記述するビットパターンマッピング表に対する情報の図面であり、図１６にしたがって発生される３ビットのレポート中で伝達される情報は、図１７にしたがって発生される後続の４ビットのレポートにおいて参照として利用可能である。
【図１７】図１７は、第２の例示的な要求辞書にしたがった、４ビットのアップリンク要求レポートに対するフォーマットを記述するビットパターンマッピング表に対する情報の図面であり、図１７にしたがって発生される４ビットのレポートは、図１６にしたがって以前に伝達された３ビットのアップリンク要求レポートに関するデルタバックログ情報を伝達する機会をサポートする。
【図１８】図１８は、第３の例示的な要求辞書にしたがった、１ビットのアップリンク要求レポートに対するフォーマットを記述するビットパターンマッピング表に対する情報の図面である。
【図１９】図１９は、第３の例示的な要求辞書にしたがった、４ビットのアップリンク要求レポートに対するフォーマットを記述するビットパターンマッピング表に対する情報の図面であり、図１９にしたがって発生される４ビットのレポート中で伝達される情報は、図２０にしたがって発生される後続の３ビットのレポートにおいて参照として利用可能である。
【図２０】図２０は、第３の例示的な要求辞書にしたがった、３ビットのアップリンク要求レポートに対するフォーマットを記述するビットパターンマッピング表に対する情報の図面であり、図２０にしたがって発生される３ビットのレポートは、図１９にしたがって以前に伝達された４ビットのアップリンク要求レポートに関するデルタバックログ情報を伝達する。
【図２１】図２１は、異なる要求辞書に対応する複数ビットのアップリンク要求レポートの例示的なシーケンスを図示し、レポート間の相互依存を図示する図面である。
【詳細な説明】
【０００９】
図１は、さまざまな実施形態にしたがって実現される例示的なワイヤレス通信システム１００の図面である。例示的なワイヤレス通信システム１００は、例えば、直交周波数分割多重（ＯＦＤＭ）多元接続ワイヤレス通信システムである。
【００１０】
例示的なワイヤレス通信システム１００は、複数の基地局（基地局１  １０２、．．．、基地局M  １０４）を含む。各基地局（１０２、１０４）は、それぞれ、対応するワイヤレスカバレッジエリア（セル１  １０６、セルM  １０８）を有する。システム１００はまた、ネットワークノード１１８を含み、ネットワークノード１１８は、それぞれ、ネットワークリンク（１２０、１２２）を介して基地局（１０２、１０４）に結合されている。ネットワークノード１１８はまた、リンク１２４を介して、他のネットワークノードおよび／またはインターネットに結合されている。ネットワークリンク（１２０、１２２、１２４）は、例えば、光ファイバリンクである。システム１００はまた、複数のセクタを有するセルおよび／または複数の搬送波を使用するセルを含んでいてもよい。
【００１１】
システム１００はまた、複数のワイヤレス端末を含む。ワイヤレス端末のうちの少なくともいくつかは、通信システム全体にわたって移動する移動ノードである。図１において、ワイヤレス端末（ＷＴ  １  １１０、ＷＴ  Ｎ  １１２）は、セル１ １０６中に位置しており、それぞれ、ワイヤレスリンク（１２６、１２８）を介して基地局１  １０２に結合されている。図１において、ワイヤレス端末（ＷＴ  １’  １１４、ＷＴ  Ｎ’  １１６）は、セルＭ  １０８中に位置しており、それぞれ、ワイヤレスリンク（１３０、１３２）を介して基地局Ｍ  １０４に結合されている。さまざまな実施形態にしたがって、ワイヤレス端末は、送信バックログ情報レポートを伝達し、ワイヤレス端末のうちの少なくともいくつかは、異なるタイプのバックログ関連情報を伝達し、異なるタイプのバックログ関連情報のうちの１つは、差分タイプの情報である。
【００１２】
図２は、例えば、さまざまな実施形態にしたがう移動ノードのような、例示的なワイヤレス端末２００の図面である。例示的なワイヤレス端末２００は、バス２１２を介してともに結合された受信機モジュール２０２と、送信機モジュール２０４と、プロセッサ２０６と、ユーザＩ／Ｏデバイス２０８と、メモリ２１０とを含み、それらにわたってさまざまな要素が、データおよび情報を交換する。メモリ２１０は、ルーチン２１４とデータ／情報２１６とを含む。例えば、ＣＰＵのような、プロセッサ２０６は、ルーチン２１４を実行し、メモリ２１０中のデータ／情報を使用して、ワイヤレス端末２００の動作を制御し、方法を実現する。
【００１３】
例えば、ＯＦＤＭ受信機のような、受信機モジュール２０２は、受信アンテナ２０３に結合されており、受信アンテナ２０３を介して、ワイヤレス端末は、基地局からダウンリンク信号を受信する。ダウンリンク信号は、例えば、専用制御チャネルのアップリンクチャネル構造中の特定のスロットに関係付けられた基地局割当ワイヤレス端末ＯN状態識別子を含む。ダウンリンク信号はまた、ワイヤレス端末に対するアップリンクトラフィックチャネルセグメントの割当を含む割当信号を含む。
【００１４】
例えば、ＯＦＤＭ送信機のような送信機モジュール２０４は、送信アンテナ２０５に結合されており、送信アンテナ２０５を介して、ワイヤレス端末２００は、アップリンク信号を基地局に送信する。いくつかの実施形態において、同一のアンテナが、受信機および送信機に対して使用される。アップリンク信号は、専用の制御チャネルセグメント信号とトラフィックチャネルセグメント信号とを含む。専用の制御チャネルセグメント信号は、３および４ビットのアップリンクトラフィックチャネル要求レポートのようなバックログ情報レポートと、ビーコン比レポートのような干渉レポートと、電力バックオフレポートのような電力利用可能性レポートとを含む、さまざまな異なるタイプの制御チャネルレポートを伝える。ワイヤレス端末２００によりサポートされるバックログ情報レポートのうちの少なくもいくつかは、以前に伝達されたバックログレポート中で伝達された情報に関する差分情報を報告するフォーマットを含む。
【００１５】
異なる時間に、送信機２０４は、異なるタイプのバックログ関連情報を伝達するバックログレポートを送信してもよく、そして時には送信する。例えば、第１の時点で、送信機は、送信されるのを待っているデータ量についてのバックログ情報を伝達する第１のバックログレポートを送信し、第２の時点で、送信機２０４は、追加のバックログ情報を伝達する第２のバックログレポートを送信する。追加のバックログ情報のうちの少なくともいくつかは、第１のバックログレポートにより伝達された値を使用して計算される差分値として伝達される。
【００１６】
ユーザＩ／Ｏデバイス２０８は、例えば、マイクロフォンや、キーボードや、キーパッドや、マウスや、カメラや、スイッチや、スピーカや、ディスプレイなどを含む。ユーザＩ／Ｏデバイス２０８により、ワイヤレス端末２００のユーザは、データ／情報を入力し、出力データ／情報にアクセスし、そして、ワイヤレス端末２００のうちの少なくともいくつかの機能を制御することが可能になる。
【００１７】
ルーチン２１４は、バックログ監視モジュール２１８と、制御レポート発生モジュール２１９と、選択モジュール２２５と、送信制御モジュール２２６とを含む。制御レポート発生モジュール２１９は、バックログレポート発生モジュール２２０と、干渉レポート発生モジュールと、ＳＮＲレポート発生モジュールと、ノイズレポート発生モジュールと、電力レポート発生モジュールと、フレキシブルレポート発生モジュールとを含む。
【００１８】
バックログ監視モジュール２１８は、送信されるのを待っている情報量についての情報を維持する。記憶された専用制御チャネル構造情報２２８と基地局割当ワイヤレス端末識別情報２５６とを含むアップリンクタイミングおよび周波数構造情報にしたがってワイヤレス端末に割り振られた専用制御チャネルアップリンクセグメントを介して伝達される異なるタイプの制御情報レポートを、制御レポート発生モジュール２１９は発生させる。異なるタイプの制御情報レポートは、例えば、バックログ情報レポートと、干渉レポートと、電力レポートと、ＳＮＲレポートと、自己ノイズレポートとを含む。制御レポート発生モジュール２１９は、バックログレポート発生モジュール２２０を含む、各タイプのレポートに対応するモジュールを含む。
【００１９】
バックログレポート発生モジュール２２０は、異なるタイプのバックログ関連情報を伝達するバックログレポートを発生させ、異なるタイプのバックログ関連情報のうちの１つは、差分タイプの情報である。バックログレポート発生モジュール２２０は、１ビットのアップリンク要求レポート発生モジュールと、３ビットのアップリンク要求レポート（ＵＬＲＱＳＴ３）発生モジュール２２１と、４ビットのアップリンク要求レポート（ＵＬＲＱＳＴ４）発生モジュール２２３とを含み、各発生モジュールは、異なる固定されたサイズのバックログレポートに対応する。ＵＬＲＱＳＴ３レポート発生モジュール２２１は、エンコーディングモジュール２２２を含む。ＵＬＲＱＳＴ４レポート発生モジュール２２３は、エンコーディングモジュール２２４を含む。３ビットのアップリンク要求レポート発生モジュール２２１は、バックログ情報を使用して、３ビットのアップリンク要求レポートを発生させる。特定の発生された３ビットのアップリンク要求レポートに対して、３ビットのアップリンク要求レポート発生モジュール２２１は、情報により識別される使用中の要求辞書２５８に対応する、要求辞書１のＵＬＲＱＳＴ３ビットマッピング情報２３８と、要求辞書２のＵＬＲＱＳＴ３ビットマッピング情報２４２と、．．．、要求辞書NのＵＬＲＱＳＴ３ビットマッピング情報２４６とのうちの１つを使用する。４ビットのアップリンク要求レポート発生モジュール２２３は、バックログ情報を使用して、４ビットのアップリンク要求レポートを発生させる。特定の発生された４ビットのアップリンク要求レポートに対して、４ビットのアップリンク要求レポート発生モジュール２２３は、情報により識別される使用中の要求辞書２５８に対応する、要求辞書１のＵＬＲＱＳＴ４ビットマッピング情報２４０と、要求辞書２のＵＬＲＱＳＴ４ビットマッピング情報２４４と、．．．、要求辞書NのＵＬＲＱＳＴ４ビットマッピング情報２４８とのうちの１つを使用する。
【００２０】
エンコーディングモジュール２２２は、発生の一部として、少なくともいくつかのビットパターンに対するいくつかのＵＬＲＱＳＴ３レポートに対して、結合情報をエンコードする。例えば、要求辞書２に対応して、総バックログ情報が、総バックログを示す基準パラメータと一緒にエンコードされ（図１６参照）、要求辞書３に対応して、差分値と、送信されるのを待っている少なくとも１単位のデータがあるかどうかに関する表示とが、一緒にコード化される（図２０を参照）。
【００２１】
エンコーディングモジュール２２４は、発生の一部として、少なくともいくつかのビットパターンに対するいくつかのＵＬＲＱＳＴ４レポートに対して、結合情報をエンコードする。例えば、要求辞書２に対応して、５つのビットパターンに対して、遅延情報が、少なくともいくつかのバックログがある表示と一緒にエンコードされ（図１７参照）、要求辞書３に対応して、バックログカウント情報が、バックログを示す２つの基準値と一緒にコード化される（図１９参照）。
【００２２】
データ／情報２１６は、記憶された専用制御チャネル構造情報２２８と、レポートフォーマット情報２３０と、予め定められた送信デッドライン情報２５０とを含む。レポートフォーマット情報２３０は、要求辞書１情報２３２と、要求辞書２情報２３４と、要求辞書Ｎ情報２３６とを含む。要求辞書１情報２３２は、３ビットのアップリンク要求レポートのビットマッピング情報２３８と、４ビットのアップリンク要求レポートフォーマットのビットマッピング情報２４０とを含む。要求辞書２情報２３４は、３ビットのアップリンク要求レポートのビットマッピング情報２４２と、４ビットのアップリンク要求レポートフォーマットのビットマッピング情報２４４とを含む。要求辞書Ｎ情報２３６は、３ビットのアップリンク要求レポートのビットマッピング情報２４６と、４ビットのアップリンク要求レポートフォーマットのビットマッピング情報２４８とを含む。
【００２３】
図７、８、および９中の情報は、いくつかの例示的な専用制御チャネル構造情報を含む。予め定められた送信デッドライン情報２５０は、例えば、表１７００のＴmaxの値、および／または、表１９００と２０００とに対するＮDカウントに関して包含されるフレームカウントに対応するＴMの値のような、１つ以上の制限を含む。
【００２４】
要求辞書１情報２３２のＵＬＲＱＳＴ３ビットマッピング情報２３８は、例えば、図１３の表１３００の情報を含み、一方、要求辞書１情報２３２のＵＬＲＱＳＴ４ビットマッピング情報２４０は、例えば、図１２の表１２００の情報を含む。要求辞書２情報２３４のＵＬＲＱＳＴ３ビットマッピング情報２４２は、例えば、図１６の表１６００の情報を含み、一方、要求辞書２情報２３４のＵＬＲＱＳＴ４ビットマッピング情報２４４は、例えば、図１７の表１７００の情報を含む。要求辞書Ｎ情報２３６のＵＬＲＱＳＴ３ビットマッピング情報２４６は、例えば、図２０の表２０００の情報を含み、一方、要求辞書Ｎ情報２３６のＵＬＲＱＳＴ４ビットマッピング情報２４８は、例えば、図１９の表１９００の情報を含む。
【００２５】
データ／情報２１６はまた、基地局識別情報２５２と、ワイヤレス端末識別情報２５４と、使用中の要求辞書を識別する情報２５８と、アップリンクトラフィック情報２６０と、発生された４ビットのアップリンクトラフィックチャネル要求レポート２７８と、差分レポート中で使用する記憶されたバックログレポート基準値２８０と、発生された３ビットのアップリンクトラフィックチャネル要求レポート２８２とを含む。
【００２６】
ワイヤレス端末識別情報２５４は、基地局割当識別情報２５６を含む。基地局割当識別情報２５６は、例えば、図７中で識別される３１個の異なるＤＣＣＨチャネルのうちの１つを識別する。使用中の要求辞書情報２５８は、Ｎ個の要求辞書のうちのどの１つが、現在ワイヤレス端末により使用中であるかを識別し、レポート発生において使用する適切なレポートフォーマットを選択する際に、バックログレポート発生モジュール２２０により使用される。記憶されたバックログレポート基準値２８０は、例えば、変数Ｎ123,min、ｇ、Nmin、ＮTmin（表１２００、１６００、および１９００を参照）に対応する記憶された値であり、これらの値は、後の差分タイプのバックログレポート中で基準値として使用できる。例えば、要求レポート情報を伝える４ビットのビットパターンのような、発生された４ビットのアップリンクトラフィックチャネル要求レポートは、ＵＬＲＱＳＴ４レポート発生モジュール２２３の出力である。例えば、要求レポート情報を伝える３ビットのビットパターンのような、発生された３ビットのアップリンクトラフィックチャネル要求レポートは、ＵＬＲＱＳＴ３レポート発生モジュール２２１の出力である。
【００２７】
アップリンクトラフィック情報２６０は、バックログ関連情報２６２と、ユーザデータ２７２と、割当情報２７４と、トラフィックチャネル信号情報２７６とを含む。バックログ関連情報２６２は、総バックログ情報２６４と、条件バックログ情報２６５と、デルタバックログ情報２６６と、バックログに関する遅延情報２６８と、送信デッドラインバックログインジケータ２７０とを含む。総バックログ情報は、例えば、総フレームカウントＮと、ＮTと、要求グループおよび／または送信ストリームに対応する総フレームカウントＮ［０］、Ｎ［１］、Ｎ［２］、Ｎ［３］となどを含む。条件バックログ情報２６５は、例えば、ＮDのような遅延情報制約付バックログカウントを含む。遅延情報２６８は、例えば、表１７００のフォーマットで伝達される値Ｄのような、送信バックログに関する遅延情報を含む。デルタバックログ情報２６６は、例えば、ｄ123または表１３００、表１７００、および１９００に関して記述したΔのようなバックログ情報値を含む。送信デッドラインバックログインジケータ２７０は、例えば、第１の送信デッドラインにより送信されるのを待っている少なくとも１単位のデータがあるかどうかを示すフラグである。
【００２８】
ユーザデータ２７２は、例えば、割り当てられたアップリンクトラフィックチャネルセグメントに対して送信キュー中で待っているような、送信されるのを待っている、オーディオ、音声、画像、テキスト、および／または、ファイルユーザデータを含む。割当情報２７４は、デコードされた割当信号情報を含み、デコードされた割当信号情報は、どのアップリンクトラフィックチャネルセグメントがワイヤレス端末２００により使用されることになるかを識別する。トラフィックチャネルセグメント信号２７６は、例えば、ユーザデータを伝えるコード化されたブロックのような、ＷＴ２００に割り振られた割当トラフィックチャネルセグメント中の情報を含む。
【００２９】
図３は、例えば、さまざまな実施形態にしたがって実現されるアクセスノードのような、例示的な基地局３００の図面である。例示的な基地局３００は、図１のシステム１００の基地局（１０２、１０４）のいずれかとすることができる。
【００３０】
例示的な基地局３００は、バス３１２を介してともに結合された、受信機モジュール３０２と、送信機モジュール３０４と、プロセッサ３０６と、Ｉ／Ｏインターフェース３０８と、メモリ３１０とを含み、それらにわたってさまざまな要素が、データおよび情報を交換する。メモリ３１０は、ルーチン３１４とデータ／情報３１６とを含む。ＣＰＵのようなプロセッサ３０６は、ルーチン３１４を実行し、メモリ３１０中のデータ／情報３１６を使用して、基地局３００の動作を制御し、方法を実現する。
【００３１】
例えば、ＯＦＤＭ受信機のような受信機モジュール３０２は、受信アンテナ３０３に結合されており、受信アンテナ３０３を介して、基地局３００は、ワイヤレス端末からアップリンク信号を受信する。アップリンク信号は、アクセス信号と、専用制御チャネルセグメント信号と、トラフィックチャネルセグメント信号とを含む。専用制御チャネルセグメント信号は、アップリンク要求レポートを含む複数の異なるタイプの制御チャネルレポートを伝え、例えば、アップリンク要求レポートは、送信されるのを待っているキューに入れられたデータに関連した、バックログ情報および／または遅延情報を伝える。アップリンク要求レポートのうちの少なくともいくつかは、以前に送信されたアップリンク要求レポートに関するデルタ情報を伝える。
【００３２】
例えば、ＯＦＤＭ送信機のような送信機モジュール３０４は、送信アンテナ３０５に結合されており、送信アンテナ３０５を介して、基地局は、ダウンリンク信号をワイヤレス端末に送信する。ダウンリンク信号は、例えば、ビーコンおよび／またはパイロット信号、登録信号、割当信号、ならびにダウンリンクトラフィックチャネル信号のような、タイミング／周波数基準信号を含む。例えば、スケジューリングモジュール３３４による決定に基づいて、割当信号は、受信されたアップリンク要求レポートに応答した、アップリンクトラフィックチャネルセグメントの割当を含む。
【００３３】
Ｉ／Ｏインターフェース３０８は、例えば、他の基地局や、ルータや、ＡＡＡノードや、ホームエージェントノードなどの他のネットワークノードに、および／またはインターネットに基地局３００を結合する。基地局３００をバックホールネットワークに結合することにより、Ｉ／Ｏインターフェース３０８は、基地局３００のアタッチメントポイントを使用するワイヤレス端末が、ネットワークアタッチメントのポイントとして異なる基地局を使用するピアノードとの通信セッションに参加することを可能にする。
【００３４】
ルーチン３１４は、専用制御チャネル割振モジュール３１８と、制御レポート回復モジュール３２０と、バックログ追跡モジュール３３２と、スケジューリングモジュール３３４と、アップリンクトラフィックチャネル回復モジュール３３６とを含む。制御レポート回復モジュール３３２は、デコーディングモジュール３２６を含む３ビットのアップリンク要求レポート（ＵＬＲＱＳＴ３）回復モジュール３２４と、デコーディングモジュール３３０を含む４ビットのアップリンク要求レポート（ＵＬＲＱＳＴ４）回復モジュール３２８とを含む。
【００３５】
専用制御チャネル割振モジュール３１８は、バックログレポートを含むアップリンク制御情報レポートを伝達するために使用するワイヤレス端末に対して専用制御チャネルセグメントを割り振る。バックログレポートは、以前に伝達されたレポート中の情報に基づいているようなデルタタイプのレポートを含むことができ、時々含む。ＤＣＣＨ割振モジュール３１８は、例えば、図７における繰り返し発生するレポーティング構造中の特定のＤＣＣＨセグメントに関係付けられた基地局割当ワイヤレス端末識別子のような基地局割当識別情報３６６を、ＯN状態の動作で動作することになるワイヤレス端末に割り振る。
【００３６】
制御レポート回復モジュール３２０は、例えば、異なるビットサイズのアップリンク要求レポートや、干渉レポートや、ノイズレポートや、電力レポートなどのような、ワイヤレス端末により伝達される専用制御チャネルレポートからの情報を回復する。バックログレポート回復モジュール３２２は、例えば、ＵＬＲＱＳＴ１レポートや、ＵＬＲＱＳＴ３レポートや、ＵＬＲＱＳＴ４レポートのようなバックログレポートから情報を回復する。レポートを送信したワイヤレス端末により使用中である要求辞書にしたがい、そしてデコーディングモジュール３２６の動作によりレポートをデコードするための対応する組のフォーマット情報を使用して、ＵＬＲＱＳＴ３レポート回復モジュール３２４は、受信されたＵＬＲＱＳＴ３レポートから３ビットのアップリンク要求レポート情報を回復する。レポートを送信したワイヤレス端末により使用中である要求辞書にしたがい、そしてデコーディングモジュール３３０の動作によりレポートをデコードするための対応する組のフォーマット情報を使用して、ＵＬＲＱＳＴ４レポート回復モジュール３２８は、受信されたＵＬＲＱＳＴ４レポートから４ビットのアップリンク要求レポート情報を回復する。いくつかのバックログレポートに対して、情報を回復することは、以前に伝達されたバックログレポートを参照した、受信されたデルタバックログ情報を処理することを含む。異なるワイヤレス端末は、同時に、異なる要求辞書を使用してもよく、そして時には同時に、異なる要求辞書を使用する。
【００３７】
ある基地局を使用していて、アップリンクトラフィックチャネルリソースに対して競合しているワイヤレス端末に対応しているバックログ情報をバックログ追跡モジュール３３２は維持し、バックログ情報は、例えば、アップリンクトラフィックチャネルセグメントを介して伝達されるのを待っているトラフィックのフレームカウントや遅延情報パラメータのような統計値である。
【００３８】
例えば、スケジューラのようなスケジューリングモジュール３３４は、ワイヤレス端末に対して、アップリンクトラフィックチャネルセグメントを含むエアリンクリソースをスケジューリングする。アップリンクトラフィックチャネルセグメントの割振に関してスケジューリング決定を実行する際に、スケジューリングモジュール３３４は、維持されたバックログ関連情報、例えば、フレームカウントおよび遅延情報を使用する。いくつかの実施形態において、スケジューラは、総バックログデータ単位カウント情報と、遅延制約付バックログデータ単位カウント情報と、遅延情報との関数として、スケジューリング決定を実施する。基地局は、スケジューリング決定に応答して、アップリンクトラフィックセグメントを割り当て、割当を伝える割当信号をワイヤレス端末に送信する。アップリンクトラフィックチャネル回復モジュール３３６は、例えば、トラフィックチャネルセグメント信号からユーザデータのような情報を回復する。
【００３９】
データ／情報３１６は、記憶された専用制御チャネル構造情報３３８を含む、チャネルタイミングおよび周波数構造情報を含む。データ／情報３１６はまた、レポートフォーマット情報３４０と送信デッドライン情報３４２とを含む。
【００４０】
図７、８、および９中の情報は、いくつかの例示的な専用制御チャネル構造情報３３８を含む。送信デッドライン情報３４２は、例えば、表１７００のＴmaxの値、および／または、表１９００と２０００とに対するＮDカウントに関して包含されるフレームカウントに対応するＴMの値のような、１つ以上の制限を含む。
【００４１】
レポートフォーマット情報３４０は、異なるビットサイズのアップリンク要求レポートや、干渉レポートや、電力レポートや、ＳＮＲレポートや、ノイズレポートなどを含む、複数の異なるタイプの制御チャネルレポートに対するフォーマットを規定する情報を含む。レポートフォーマット情報３４０は、この実施形態において、複数の要求辞書に対応するアップリンク要求レポートフォーマットを含み、レポートフォーマットのうちの少なくともいくつかは、以前に送信されたアップリンク要求レポートに関するデルタ情報の伝達をサポートする。レポートフォーマット情報３４０は、要求辞書１情報３４８と、要求辞書２情報３５０と、要求辞書Ｎ情報３５２とを含む。要求辞書１情報３４８は、３ビットのアップリンク要求レポートビットマッピング情報３５４と、４ビットのアップリンク要求レポートビットマッピング情報３５６とを含む。要求辞書２情報３５０は、３ビットのアップリンク要求レポートビットマッピング情報３５８と、４ビットのアップリンク要求レポートビットマッピング情報３６０とを含む。要求辞書Ｎ情報３５２は、３ビットのアップリンク要求レポートビットマッピング情報３６２と、４ビットのアップリンク要求レポートビットマッピング情報３６４とを含む。
【００４２】
要求辞書１情報３４８のＵＬＲＱＳＴ３ビットマッピング情報３５４は、例えば、図１３の表１３００の情報を含み、一方、要求辞書１情報３４８のＵＬＲＱＳＴ４ビットマッピング情報３５６は、例えば、図１２の表１２００の情報を含む。要求辞書２情報３５０のＵＬＲＱＳＴ３ビットマッピング情報３５８は、例えば、図１６の表１６００の情報を含み、一方、要求辞書２情報３５０のＵＬＲＱＳＴ４ビットマッピング情報３６０は、例えば、図１７の表１７００の情報を含む。要求辞書Ｎ情報３５２のＵＬＲＱＳＴ３ビットマッピング情報３６２は、例えば、図２０の表２０００の情報を含み、一方、要求辞書Ｎ情報３５２のＵＬＲＱＳＴ４ビットマッピング情報３６４は、例えば、図１９の表１９００の情報を含む。
【００４３】
データ／情報３１６はまた、ネットワークアタッチメントのポイントとして基地局３００を使用するワイヤレス端末に対応する複数の組のデータ／情報（ＷＴデータ／情報３４４、．．．、ＷＴ  Ｎデータ／情報３４６）を含む。ＷＴ  １データ／情報３４４は、基地局割当識別情報３６６と、使用中の要求辞書識別情報３６８と、回復された４ビットのアップリンク要求レポート情報３７２と、回復された３ビットのアップリンク要求レポート情報３７６と、差分バックログレポート解釈に対する回復された基準値３７４と、アップリンクトラフィック情報３７０とを含む。アップリンクトラフィック情報３７０は、バックログ関連情報３７８と、ユーザデータ３８０と、割当情報３８２と、トラフィックチャネル信号情報３８６とを含む。バックログ関連情報３７８は、総バックログ情報３８８と、条件バックログ情報３８９と、デルタバックログ情報３９０と、遅延情報３９２と、送信デッドラインバックログインジケータ３９４とを含む。
【００４４】
基地局割当識別情報３６６は、例えば、図７中で識別される３１個の異なるＤＣＣＨのうちの１つを識別する。使用中の要求辞書情報３６８は、Ｎ個の要求辞書のうちのどの１つが、ＷＴ１により現在使用中であるかを識別し、レポート発生において使用する適切なレポートフォーマットを選択する際に、バックログレポート回復モジュール３２２により使用される。差分バックログレポート解釈に対する回復された基準値３７４は、例えば、変数Ｎ123,minと、ｇと、Nminと、ＮTmin（表１２００、１６００、および１９００を参照）とに対応する記憶された値であり、これらの値は、後に受信される差分タイプのバックログレポート中で基準値として使用できる。回復された４ビットのアップリンクトラフィックチャネル要求レポート情報３７２は、ＵＬＲＱＳＴ４レポート回復モジュール３２８の出力である。回復された３ビットのアップリンクトラフィックチャネル要求レポート情報３７６は、ＵＬＲＱＳＴ３レポート回復モジュール３２４の出力である。
【００４５】
バックログ関連情報３７８は、総バックログ情報３８８と、条件バックログ情報３８９と、デルタバックログ情報３９０と、バックログに関する遅延情報３９２と、送信デッドラインバックログインジケータ３９４とを含む。総バックログ情報３８８は、例えば、総フレームカウントＮと、ＮTと、要求グループおよび／または送信ストリームに対応する総フレームカウントＮ［０］、Ｎ［１］、Ｎ［２］、Ｎ［３］となどを含む。条件バックログ情報３８９は、例えば、ＮDのような遅延情報制約付バックログカウントを含む。遅延情報３９２は、例えば、表１７００のフォーマットで伝達される値Ｄのような送信バックログに関する遅延情報を含む。デルタバックログ情報３９０は、例えば、ｄ123または表１３００、表１７００、および１９００に関して記述したΔのようなバックログ情報値を含む。送信デッドラインバックログインジケータ３９４は、例えば、第１の送信デッドラインにより送信されるのを待っている少なくとも１単位のデータがあるかどうかを示すフラグである。
【００４６】
ユーザデータ３８０は、例えば、ＷＴ１に割り当てられたアップリンクトラフィックチャネルセグメントを介して伝達されたＷＴ１からのトラフィックチャネル信号から回復された、オーディオ、音声、画像、テキスト、および／またはファイルユーザデータを含み、回復は、ＵＬトラフィックチャネル回復モジュール３３６の制御の下で実行される。トラフィックチャネルセグメント信号情報３８６は、回復モジュール３３６に対する入力である情報を含む。割当情報３８２は、どのアップリンクトラフィックチャネルセグメントが、ＷＴ１により使用されることになるかを識別する割当情報を含む、ＷＴ１に関する割当信号情報を含む。
【００４７】
図４は、さまざまな実施形態にしたがって、例えば、基地局に送信バックログ情報を伝達する、例えば、移動ノードのようなワイヤレス端末などの通信デバイスの例示的な動作方法のフローチャート４００の図面である。
【００４８】
動作方法は、ステップ４０２において開始し、通信デバイスは、電力が供給され、初期化される。動作は、開始ステップ４０２からステップ４０４に進み、ここで通信デバイスは、送信されるのを待っているデータ量についてのバックログ情報を伝達する第１のバックログレポートを第１の時点で送信する。動作は、ステップ４０４からステップ４０６に進む。ステップ４０６において、ワイヤレス端末は、差分値を伝達することと、総バックログを示す値を伝達することと、送信遅延情報を伝達することとを含む複数の選択肢から、第２のバックログレポートが差分値を伝達することを選択する。次に、ステップ４０８において、通信デバイスは、追加のバックログ情報を伝達する第２のバックログレポートを第２の時点で送信する。前記追加の情報のうちの少なくともいくつかは、前記第１のバックログレポートにより伝達された値を使用して計算される差分値として伝達される。
【００４９】
動作は、ステップ４０８からステップ４１０に進む。ステップ４１０において、通信デバイスは、差分値を伝達することと、総バックログを示す値を伝達することと、送信遅延情報を伝達することとを含む複数の選択肢から、総バックログを示す値と送信遅延情報とのうちの１つを第３のレポートが伝達することを選択する。次に、ステップ４１２において、通信デバイスは、前記第３のレポートを送信する。前記第３のレポートは、前記第２のバックログレポートと同一の固定されたサイズを有し、前記第３のレポートは、総バックログ値と送信遅延情報とのうちの１つを伝達する。
【００５０】
さまざまな実施形態において、第１のバックログレポートは、第１の固定されたサイズのレポートであり、第２のバックログレポートは、第１のサイズのレポートよりも多いビットを含む、第２の固定されたサイズのレポートである。例えば、いくつかの実施形態において、第１のレポートの固定されたサイズは、３情報ビットであり、第２のレポートの固定されたサイズは、４情報ビットである。
【００５１】
いくつかの実施形態において、第１、第２、および第３のレポートは、レポーティング構造中の専用のタイムスロットを使用する。さまざまな実施形態において、第１、第２、および第３のレポートは、アップリンクトラフィックチャネル要求レポートである。いくつかの実施形態において、第２および第３のレポートは、例えば、４ビットのアップリンク要求レポートのような同一のタイプのレポートであり、ビットパターンマッピングに対する同一の組の情報のうちの異なるものに対応する。
【００５２】
図４に対応する１つの例において、ワイヤレス端末は、図１６の表１６００および図１７の表１７００により示される例示的な要求辞書２を使用しており、第１のバックログレポートは、図１６にしたがうＵＬＲＱＳＴ３レポートであり、第２および第３のレポートは、図１７にしたがうＵＬＲＱＳＴ４レポートである。例を続けると、第２のバックログレポートは、差分値Δを伝えるビットパターン０１１０、０１１１、１０００、１００１、および１０１０のうちの１つを有し、第３のレポートは、総バックログを示す値と遅延情報とのうちの１つを伝えるビットパターン００００、０００１、００１０、００１１、０１００、０１０１、１０１１、１１００、１１０１、１１１０、および１１１１のうちの１つを有する。図１７の選択肢のＵＬＲＱＳＴ４フォーマットを考える。（ｉ）ビットパターン００００、１０１１、１１００、１１０１、１１１０、および１１１０は、総バックログを示す値を伝え、（ｉｉ）ビットパターン０１１０、０１１１、１０００、および１００１は、差分値を伝え、（ｉｉｉ）ビットパターン０００１、００１０、００１１、０１００、および１００１は、遅延情報を伝える。送信されるのを待っているデータについてのバックログ情報を伝達する図１６のＵＬＲＱＳＴ３フォーマットを考えると、使用されるＮminの値は、Δの値を計算するために第２のレポートにより使用される。
【００５３】
図５は、さまざまな実施形態にしたがって、例えば、基地局に送信バックログ情報を伝達する、例えば、移動ノードのようなワイヤレス端末などの通信デバイスの例示的な動作方法のフローチャート５００の図面である。
【００５４】
動作方法は、ステップ５０２において開始し、通信デバイスは、電力が供給され、初期化される。動作は、開始ステップ５０２からステップ５０４に進み、ここで通信デバイスは、送信されるのを待っているデータ量についてのバックログ情報を伝達する第１のバックログレポートを第１の時点で送信する。動作は、ステップ５０４からステップ５０６に進む。次に、ステップ５０６において、通信デバイスは、追加のバックログ情報を伝達する第２のバックログレポートを第２の時点で送信する。前記追加の情報のうちの少なくともいくつかは、前記第１のバックログレポートにより伝達された値を使用して計算される差分値として伝達される。
【００５５】
ステップ５０６は、サブステップ５０８を含み、サブステップ５０８において、通信デバイスは、第１の送信デッドラインにより送信されるのを待っている少なくとも１単位のデータがあるかどうかに関する表示を、差分値に加えて、第２のレポートにおいて伝達する。いくつかの実施形態において、第１の送信デッドラインは、予め定められた送信デッドラインである。いくつかの実施形態において、予め定められた送信デッドラインは、前記第２のレポート送信に対応する伝達時間に対して相対的なものである。
【００５６】
さまざまな実施形態において、第１のバックログレポートは、第１の固定されたサイズのレポートであり、第２のバックログレポートは、第１のサイズのレポートよりも少ないビットを含む、第２の固定されたサイズのレポートである。例えば、いくつかの実施形態において、第１のレポートの固定されたサイズは、４情報ビットであり、第２のレポートの固定されたサイズは、３情報ビットである。
【００５７】
いくつかの実施形態において、第１と第２のレポートは、レポーティング構造中の専用タイムスロットを使用する。さまざまな実施形態において、第１および第２のレポートは、アップリンクトラフィックチャネル要求レポートである。
【００５８】
図５に対応する１つの例において、ワイヤレス端末は、図１９の表１９００および図２０の表２０００により示される例示的な要求辞書３を使用しており、第１のバックログレポートは、図１９にしたがうＵＬＲＱＳＴ４レポートであり、第２のレポートは、図２０にしたがうＵＬＲＱＳＴ３レポートである。例を続けると、第２のレポートの差分値は、表２０００に関して記述したΔ値であり、Δ値は、表１９００のＵＬＲＱＳＴ４フォーマットを使用する第１のレポートから取得される、ＮTminおよびｇの関数として計算される。第１の送信デッドラインにより送信されるのを待っている少なくとも１単位のデータがあるかどうかに関する、第２のレポート中で伝達される表示は、ＮD＝０であるかどうかに関する、第２のレポートにより伝達される表示である。
【００５９】
図６Ａと図６Ｂとの組み合わせから構成されている図６は、さまざまな実施形態にしたがった、ワイヤレス端末の例示的な動作方法のフローチャート６００の図面である。動作方法は、ステップ６０２において開始し、ワイヤレス端末は、電力が供給され、初期化される。動作は、開始ステップ６０２からステップ６０４に進み、ここでワイヤレス端末は、デフォルトの要求辞書を決定し、使用中の要求辞書６０６をデフォルトの要求辞書に設定する。動作は、ステップ６０４からステップ６０８およびステップ６１０に進む。
【００６０】
ステップ６１０において、ワイヤレス端末は、使用中の要求辞書を変更すべきであるかどうかに関して、継続ベースでチェックする。例えば、使用中の要求辞書は、時々、基地局からのコマンドまたは要求に応答して変更される。あるいは、例えば、伝達される異なるタイプのアップリンクトラフィック、伝達される異なる量のアップリンクトラフィック、送信される異なるレートのアップリンクトラフィック、異なるサービス品質レベル、異なるユーザ、異なる優先順位、異なる待ち時間考慮、および／または、異なる混合タイプのアップリンクトラフィック、のようなワイヤレス端末における変化する条件の関数として、ワイヤレス端末は、要求辞書を変更することを決定できる。
【００６１】
要求辞書を変更することが、ステップ６１０において決定される場合、動作は、ステップ６１０からステップ６１２に進み、ここでは、使用中の要求辞書６０６が更新され、動作は、さらなるチェックのためにステップ６１０に戻る。要求辞書を変更しないことが、ステップ６１０において決定される場合、動作は、さらなるチェックのためにステップ６１０の入力に再度進む。
【００６２】
ステップ６０８に戻ると、ステップ６０８において、ワイヤレス端末は、例えば、ワイヤレス端末に一時的に割り振られる基地局割当ワイヤレス端末ＯＮ状態識別子のような基地局割当ワイヤレス端末識別情報を受信する。基地局割当ワイヤレス端末識別情報は、繰り返し発生する専用の制御チャネルアップリンクタイミングおよび周波数構造における特定の専用制御チャネルセグメントを、その使用のためにワイヤレス端末に関係付ける。動作は、ステップ６０８からステップ６１４およびステップ６１６に進む。
【００６３】
ステップ６１６において、ワイヤレス端末は、送信されるのを待っているキューに入れられたアップリンクトラフィックに対応する、バックログ情報およびオプション的に、遅延情報を、継続ベースで維持する。例えば、フレームカウント情報のようなバックログ情報６１８、ならびに、例えば、送信デッドラインに対する最小時間情報および／または最大のキュー待ち遅延情報のような遅延情報６２０は、ステップ６１６の出力である。
【００６４】
ステップ６１４に戻ると、継続ベースで実行されるステップ６１４において、ワイヤレス端末は、基地局割当ワイヤレス端末識別情報に関係付けられた専用制御チャネルセグメントを識別する。ワイヤレス端末に割り振られたそれぞれの識別されたセグメントに対して、動作は、ステップ６１４からステップ６２２に進む。
【００６５】
ステップ６２２において、識別されたＤＣＣＨが、複数ビットのアップリンク要求レポートを含んでいるかどうかに関して、ワイヤレス端末はチェックする。識別されたセグメントが複数ビットのアップリンク要求レポートを含んでいない場合、動作はステップ６２２からステップ６２４に進み、ここでワイヤレス端末は、セグメントに対応するＤＣＣＨレポートを発生させ、送信する。識別されたセグメントが、複数ビットのアップリンク要求レポートを含んでいる場合、動作は、接続ノードＡ６２６を介してステップ６２８に進む。
【００６６】
ステップ６２８において、ワイヤレス端末は、例えば、３ビットのアップリンク要求レポート（ＵＬＲＱＳＴ３）または４ビットのアップリンク要求レポート（ＵＬＲＱＳＴ４）のようなレポートタイプと、使用中の要求レポート辞書とにしたがって、複数ビットの要求レポートを発生させる。少なくともいくつかのレポーティングフォーマットは、以前に送信されたアップリンク要求レポートに関するデルタ情報を報告する機会を含む。ステップ６２２は、サブステップ６３０、６３２、６４０、およびオプション的にサブステップ６３６を含む。
【００６７】
サブステップ６３０において、発生されるレポートが、デルタレポーティングの機会を含むフォーマットを使用しているかどうかに関して、ワイヤレス端末はチェックする。レポートが、デルタレポーティングの機会を含むフォーマットを使用していない場合、動作は、サブステップ６３０からサブステップ６３２に進む。レポートが、デルタレポーティングの機会を含むフォーマットを使用している場合、動作は、サブステップ６３０からサブステップ６４０に進む。
【００６８】
サブステップ６３２において、ワイヤレス端末は、バックログ情報６１８および／または遅延情報６２０を使用して、要求レポートを発生させる。いくつかのフォーマットに対して、サブステップ６３２は、サブステップ６３４を含み、サブステップ６３４において、ワイヤレス端末は、１つ以上の基準値を決定し、１つ以上の基準値は、発生されたレポート中で追加的に伝達される。サブステップ６３４が実行される実施形態において、動作は、サブステップ６３２からサブステップ６３６に進む。サブステップ６３６において、ワイヤレス端末は、前記決定された基準値６３８を記憶する。代わりに、いくつかの実施形態において、必要である場合、ワイヤレス端末は、例えば、レポートにより伝えられる情報ビットパターンのようなレポート値を記憶し、例えば、後のレポートに対するレポート発生の一部として、例えば、ルックアップテーブルを使用して、後に基準値を決定する。
【００６９】
サブステップ６４０に戻ると、サブステップ６４０において、ワイヤレス端末は、要求レポートを発生させる。サブステップ６４０は、サブステップ６４２と、６４４と、６４６とを含む。サブステップ６４２において、ワイヤレス端末は、レポートがデルタ情報を伝達することになるかどうかを決定する。レポートがデルタ情報を伝達することになる場合、動作は、サブステップ６４２からサブステップ６４４に進み、ここでワイヤレス端末は、基準値６３８と、バックログ情報および遅延情報のうちの少なくとも１つとを使用して、要求レポートを発生させる。サブステップ６４６において、ワイヤレス端末は、バックログ情報および／または遅延情報を使用して、要求レポートを発生させる。動作は、ステップ６２８からステップ６４８に進み、ステップ６４８において、ワイヤレス端末は、少なくとも１つの追加レポートを有する要求レポートを、専用制御チャネルセグメントに対する信号にエンコードする。次に、ステップ６５０において、ワイヤレス端末は、専用制御チャネルセグメント信号を基地局に送信する。
【００７０】
使用中の要求辞書が、図１２／図１３の要求辞書であると考える。そのケースにおいて、３ビットのアップリンク要求レポート（ＵＬＲＱＳＴ３）は、可能性のあるビットパターンのそれぞれに対応する、デルタ情報であるｄ123を伝達する機会を含み、一方、４ビットのアップリンク要求レポート（ＵＬＲＱＳＴ４）は、基準値であるＮ123およびｇを決定する。代わりに、使用中の要求辞書が、図１６／図１７の要求辞書であると考える。そのケースにおいて、４ビットのアップリンク要求レポート（ＵＬＲＱＳＴ４）は、ビットパターン０１１０、０１１１、１０００、１００１、および１０１０に対応するデルタ情報であるΔを伝達する機会を含み、一方、３ビットのアップリンク要求レポート（ＵＬＲＱＳＴ３）は、基準値であるＮminを決定する。代わりに、使用中の要求辞書が、図１９／図２０の要求辞書であると考える。そのケースにおいて、３ビットのアップリンク要求レポート（ＵＬＲＱＳＴ３）は、可能性のあるビットパターンのそれぞれに対応するデルタ情報であるΔを伝達する機会を含み、一方、４ビットのアップリンク要求レポート（ＵＬＲＱＳＴ４）は、基準値であるＮTminおよびｇを決定する。
【００７１】
図７は、例示的な直交周波数分割多重（ＯＦＤＭ）多元接続ワイヤレス通信システムにおける例示的なアップリンクタイミングおよび周波数構造中の例示的なアップリンク専用制御チャネル（ＤＣＣＨ）セグメントの図面７００である。アップリンク専用制御チャネルは、ワイヤレス端末から基地局に専用制御レポート（ＤＣＲ）を送るために使用される。縦軸７０２は、論理アップリンクトーンインデックスをプロットし、一方、横軸７０４は、ビーコンスロット内のハーフスロットのアップリンクインデックスをプロットする。この例において、アップリンクトーンブロックは、インデックス付けされた（０、．．．、１１２）１１３個の論理アップリンクトーンを含み、ハーフスロット内に７つの連続するＯＦＤＭシンボル送信期間と、スーパースロット内に１６個の連続するハーフスロットが後に続く２つの追加のＯＦＤＭシンボル期間と、ビーコンスロット内に８個の連続するスーパースロットとがある。スーパースロット内の最初の９個のＯＦＤＭシンボル送信期間は、アクセス間隔であり、専用制御チャネルは、アクセス間隔のエアリンクリソースを使用しない。
【００７２】
例示的な専用制御チャネルは、３１個の論理トーン（アップリンクトーンインデックス８１  ７０６、アップリンクトーンインデックス８２  ７０８、．．．、アップリンクトーンインデックス１１１  ７１０）に細分される。論理アップリンク周波数構造中の、それぞれの論理アップリンクトーン（８１、．．．、１１１）は、ＤＣＣＨチャネル（０、．．．、３０）に関してインデックス付けされた論理トーンに対応する。
【００７３】
専用制御チャネル中の各トーンに対して、４０個の列（７１２、７１４、７１６、７１８、７２０、７２２、．．．、７２４）に対応するビーコンスロット中に４０個のセグメントがある。セグメント構造は、ビーコンスロットベースで繰り返される。専用制御チャネル中の所定のトーンに対して、ビーコンスロット７２８に対応する４０個のセグメントがあり、ビーコンスロットの８個のスーパースロットのそれぞれは、所定のトーンに対して５個の連続するセグメントを含む。例えば、ビーコンスロット７２８の最初のスーパースロット７２６に対して、５個のインデックス付けされたセグメント（セグメント［０］［０］、セグメント［０］［１］、セグメント［０］［２］、セグメント［０］［３］、セグメント［０］［４］）があり、それらは、ＤＣＣＨのトーン０に対応する。同様に、ビーコンスロット７２８の最初のスーパースロット７２６に対して、５個のインデックス付けされたセグメント（セグメント［１］［０］、セグメント［１］［１］、セグメント［１］［２］、セグメント［１］［３］、セグメント［１］［４］）があり、それらは、ＤＣＣＨのトーン１に対応する。同様に、ビーコンスロット７２８の最初のスーパースロット７２６に対して、５個のインデックス付けされたセグメント（セグメント［３０］［０］、セグメント［３０］［１］、セグメント［３０］［２］、セグメント［３０］［３］、セグメント［３０］［４］）があり、それらはＤＣＣＨのトーン３０に対応する。
【００７４】
この例において、それぞれのセグメント、例えば、セグメント［０］［０］は、例えば、２１個のＯＦＤＭトーンシンボルの割り振られたアップリンクエアリンクリソースを表す、３つの連続するハーフスロットに対して、１つのトーンを含む。いくつかの実施形態において、論理アップリンクトーンは、アップリンクトーンホッピングシーケンスにしたがって、物理トーンにホップされ、それにより論理トーンに関係付けられた物理トーンは、連続するハーフスロットに対して異なるが、所定のハーフスロットの間中は一定のままである。
【００７５】
専用制御チャネルの各論理トーンは、基地局により、現在のアタッチメントポイントとしてその基地局を使用する異なるワイヤレス端末に割り当てられる。例えば、論理トーン（７０６、７０８、．．．、７１０）は、現在、それぞれ、（ＷＴ Ａ ７３０、ＷＴ Ｂ ７３２、．．．、ＷＴ Ｎ’ ７３４）に割り当てられている。
【００７６】
各アップリンクＤＣＣＨセグメントは、１組の専用制御チャネルレポート（ＤＣＲ）を送信するために使用される。例示的なＤＣＲのリストは、図８の表８００中に与えられている。表８００の第１の列８０２は、それぞれの例示的なレポートに対して使用される略記された名称を記述している。各レポートの名称は、ＤＣＲのビット数を特定する数字で終わる。表８００の第２の列８０４は、それぞれの名称付けられたレポートを簡潔に記述している。第３の列８０６は、インデックス付けされたセグメントを識別し、インデックス付けされたセグメントにおいて、レポートは、例示的なレポーティング構造にしたがって伝えられる。
【００７７】
図９は、例えば、ワイヤレス端末に対応する、所定のＤＣＣＨトーンに対する例示的なビーコンスロット中の例示的なレポーティングフォーマット情報を図示する図面９９９である。図９において、各ブロック（９００、９０１、９０２、９０３、９０４、９０５、９０６、９０７、９０８、９０９、９１０、９１１、９１２、９１３、９１４、９１５、９１６、９１７、９１８、９１９、９２０、９２１、９２２、９２３、９２４、９２５、９２６、９２７、９２８、９２９、９３０、９３１、９３２、９３３、９３４、９３５、９３６、９３７、９３８、９３９）は、１つのセグメントを表し、そのインデックスｓ２（０、．．．、３９）が長方形領域９４０においてブロックの上に示されている。各ブロック、例えば、セグメント０を表すブロック９００は、６個の情報ビットを伝え、各ブロックは、セグメント中の６ビットに対応する６つの行から構成されており、ここで長方形領域９４３中で示したように、ビットは、最上行から最下行に下向きに向けて、最上位ビットから最下位ビットにリスト表示されている。
【００７８】
例示的なワイヤレス通信システムは、１つ以上の要求辞書をサポートする。１つの要求辞書は、１ビットのアップリンク要求レポートと、３ビットのアップリンク要求レポートと、４ビットのアップリンク要求レポートとである、表８００のＵＬＲＱＳＴ１と、ＵＬＲＱＳＴ３と、ＵＬＲＱＳＴ４とに対する第１の組のビットマッピング規定情報を含んでいてもよく、一方、別の要求辞書は、表８００の１ビットのアップリンク要求レポートと、３ビットのアップリンク要求レポートと、４ビットのアップリンク要求レポートとのうちの少なくとも１つに対する異なる組のビットマッピング規定情報を含んでもよい。複数の代替要求辞書をサポートするワイヤレス端末が、サポートされている複数の代替要求辞書のうちの１つを使用して、アップリンク要求レポートを送信できる。いくつかの実施形態において、ワイヤレス端末により使用されるために選択される要求辞書は、ワイヤレス端末におけるアクティブなトラフィックフローに依存する。
【００７９】
いくつかの実施形態において、ワイヤレス端末は、所定の時間に、どの要求辞書を使用するかに関する選択を実行でき、そして時には実行する。いくつかの実施形態において、別のノード、例えば、基地局が、所定の時間に、ワイヤレス端末に対応するどの要求辞書を使用するかに関する選択を実行でき、そして時には実行する。ワイヤレス端末または基地局が、所定の時間の間に、所定のワイヤレス端末に対して使用する要求辞書を選択するかどうかにかかわらず、例えば、基地局とワイヤレス端末との間で交換されるシグナリングを介して、どの要求辞書が使用されているかに関して基地局とワイヤレス端末との間には理解があり、その結果、基地局とワイヤレス端末の両方は、使用されている要求辞書を知っており、合意している。
【００８０】
異なる要求辞書は、異なるレポーティングの必要性に対応するように構築され、それ故に、たった１つの辞書だけが利用可能である場合よりも、要求に対するより効率的なレポートを容易にすることが可能になる。いくつかの実施形態において、ワイヤレス端末は、アップリンク要求レポートに対して複数の異なる要求辞書をサポートし、異なる要求辞書のうちの少なくともいくつかは、バックログ情報と遅延情報とを伝えるフォーマットを含み、要求辞書のうちの少なくともいくつかは、遅延情報なしでバックログ情報を伝えるフォーマットを含む。いくつかの実施形態において、ワイヤレス端末は、複数の要求辞書をサポートし、異なる要求辞書のうちの少なくともいくつかは、以前に送信されたバックログレポートに関するデルタバックログ情報を伝えるフォーマットを含んでいる。
【００８１】
例えば、以前に伝達された要求レポートに関するデルタバックログ情報を伝える、ＵＬＲＱＳＴ３またはＵＬＲＱＳＴ４レポートのような、少なくとも１つのレポートのタイプに対して構築される例示的な要求辞書フォーマットを記述する。ワイヤレス端末は、以前に伝達された要求レポートに関するデルタバックログ情報を伝えない他の要求辞書を含んでもよく、時には含むことを理解すべきである。
【００８２】
遅延情報なしでバックログ情報を伝え、そして、デルタバックログ情報の伝達をサポートするフォーマットを含む、例示的な要求辞書である要求辞書１をこれから記述する。要求辞書１は、要求グループ０に対するバックログのフレームカウントを表すＮ［０］と、要求グループ１に対するバックログのフレームカウントを表すＮ［１］と、要求グループ２に対するバックログのフレームカウントを表すＮ［２］と、要求グループ３に対するバックログのフレームカウントを表すＮ［３］とにより、４つの要求グループに対応するバックログ情報を報告する。例示的な実施形態において、参照番号＝１を有する要求辞書に対して、ＷＴは、図１０の表１０００にしたがうＵＬＲＱＳＴ１を使用して、Ｎ［０］＋Ｎ［１］を報告する。表１０００は、ＵＬＲＱＳＴ１レポートに対する例示的なフォーマットである。第１の列１００２は、伝えられる２つの可能性のあるビットパターンを示し、一方、第２の列１００４は、それぞれのビットパターンの意味を示す。ビットパターンが０である場合、それは、要求グループ０または要求グループ１のいずれかの中に、ＷＴが送信する予定であるＭＡＣフレームがないことを示す。ビットパターンが１である場合、それは、ＷＴが伝達する予定である、要求グループ０または要求グループ１中に、ＷＴは少なくとも１つのＭＡＣフレームを有することを示す。
【００８３】
所定の時間に、ＷＴは１つの要求辞書のみを使用する。ＷＴがちょうどアクティブな状態に入るとき、ＷＴは、デフォルトの要求辞書を使用する。要求辞書を変更するために、ＷＴと基地局は、上位のレイヤ構成プロトコルを使用する。ＷＴが、ＯＮ状態からＨＯＬＤ状態に移るとき、ＷＴは、ＯＮ状態で使用された最新の要求辞書を保持し、それにより、後に、ＷＴがＨＯＬＤ状態からＯＮ状態に移るとき、要求辞書が明確に変更されるまで、ＷＴは、同一の要求辞書を使用し続ける。しかしながら、ＷＴがアクティブな状態を離れる場合、使用された最新の要求辞書のメモリは、消去される。
【００８４】
参照番号＝１を有する要求辞書に対応するＵＬＲＱＳＴ３またはＵＬＲＱＳＴ４を決定するために、ＷＴは、表１１００にしたがって、２つのパラメータであるｙおよびｚを最初に計算し、参照番号＝１を有する要求辞書を使用する。最も最近の５ビットのアップリンク送信電力バックオフレポート（ＵＬＴＸＢＫＦ５）の（ｄＢにおける）値をｘにより表し、最も最近の汎用の４ビットのダウンリンクビーコン比レポート（ＤＬＢＮＲ４）の（ｄＢにおける）値をｂ0により表す。ＷＴは、ｂ＝ｂ0−ulTCHrateFlashAssignmentOffsetとして、調整された汎用のＤＬＢＮＲ４レポート値ｂを決定し、ここで、マイナスは、ｄＢの意味で規定される。基地局のセクタは、ダウンリンクブロードキャストチャネル中でulTCHrateFlashAssignmentOffsetの値をブロードキャストする。ＷＴがブロードキャストチャネルからその値を受信するまで、ＷＴは０ｄＢに等しいulTCHrateFlashAssignmentOffsetを使用する。
【００８５】
図１１は、参照番号＝１を有する要求辞書に対応する制御パラメータｙおよびｚを計算するために使用される例示的な表１１００である。第１の列１１０２は、条件をリスト表示し、第２の列１１０４は、出力制御パラメータｙの対応する値をリスト表示し、第３の列１１０６は、出力制御パラメータｚの対応する値をリスト表示する。ｘおよびｂが与えられると、ＷＴは、第１の列における条件を満たすｙおよびｚを、図１１の表１１００中の第１の行から決定する。例えば、ｘ＝１７かつｂ＝３である場合、ｚ＝ｍｉｎ（４，Ｎmax）およびｙ＝１である。Ｒmaxは、ＷＴがサポートできる最も高いレートオプションを表し、Ｎmaxは、その最も高いレートオプションにおけるＭＡＣフレームの数を表す。要求辞書にしたがって、ＷＴは、ＵＬＲＱＳＴ３またはＵＬＲＱＳＴ４を使用して、ＭＡＣフレームキューの実際のＮ［０：３］を報告する。
【００８６】
例示的な要求辞書参照番号＝１は、任意のＵＬＲＱＳＴ４またはＵＬＲＱＳＴ３が実際のＮ［０：３］を完全に含んでいないかもしれないことを示す。レポートは、実際上、実際のＮ［０：３］の量子化されたバージョンである。
【００８７】
図１２の表１２００および図１３の表１３００は、１に等しい参照番号を有する例示的な要求辞書に対する、ＵＬＲＱＳＴ４レポートフォーマットおよびＵＬＲＱＳＴ３レポートフォーマットを規定する。ｄ123＝ｃｅｉｌ（（（Ｎ［１］＋Ｎ［２］＋Ｎ［３］−Ｎ123,min)／（ｙ*ｇ））と定義する。ここで、Ｎ123,minおよびｇは、表１２００に則って、最も最近のＵＬＲＱＳＴ４レポートにより決定される変数である。図１２は、４ビットのアップリンク要求レポートであるＵＬＲＱＳＴ４に対する１６ビットパターンのそれぞれに関係付けられた、ビットフォーマットおよび解釈を識別する表１２００であり、表１２００は、例示的な第１の要求辞書（ＲＤ参照番号＝１）に対応する。いくつかの実施形態において、参照番号＝１を有する要求辞書は、デフォルトの要求辞書である。第１の列１２０２は、ビットパターンと、最上位ビットから最下位ビットまでのビットの順序とを識別する。第２の列１２０４は、それぞれのビットパターンに関係付けられた解釈を識別する。図１３は、３ビットのアップリンク要求レポートであるＵＬＲＱＳＴ３に対する８個のビットパターンのそれぞれに関係付けられた、ビットフォーマットおよび解釈を識別する表１３００であり、表１３００は、例示的な第１の要求辞書（ＲＤ参照番号＝１）に対応する。第１の列１３０２は、ビットパターンと、最上位ビットから最下位ビットまでのビットの順序とを識別する。第２の列１３０４は、それぞれのビットパターンに関係付けられた解釈を識別する。要求辞書１に対するＵＬＲＱＳＴ３のフォーマットの各ビットパターンは、何らかのバックログとデルタバックログ値であるｄ123とを要求グループ０が有するかどうかに関する表示を伝え、何らかのバックログとデルタバックログ値であるｄ123とは、一緒にコード化される。
【００８８】
バックログ情報と遅延情報とを伝えるフォーマットを含み、そして、以前に伝達された要求レポートに関するデルタバックログ情報を伝達する機会を有する少なくとも１つのレポートフォーマットを含む例示的な要求辞書をこれから記述する。さまざまな実施形態において、いくつかの要求辞書を使用するとき、ワイヤレス端末は、アップリンクトラフィックバックログに対する遅延情報を提供する。基地局（ＢＳ）がアップリンクにおいて十分なサービス品質（ＱｏＳ）を提供することを可能にするために、いくつかの実施形態において、ワイヤレス端末（ＷＴ）は、制御情報をＢＳに定期的に送信する。例えば、いくつかの実施形態において、この情報は、ＷＴにおけるバックログの量、すなわち、キューの長さと、ＷＴにおける電力利用可能性と、例えば、パス損失比またはビーコン比レポートのような干渉管理に関係する情報とのうちの１つ以上を含む。しかしながら、スケジューラは、上にリスト表示した情報に加えて、遅延に関する情報を有効に使用して、少なくともいくつかのタイプのトラフィックフローに対して、遅延感応性があるトラフィックをスケジュールするときを、タイムリーに決定することもできる。このような遅延感応性があるトラフィックの例は、音声と、ゲーミングと、他の相互対話型のアプリケーションとを含み、このようなトラフィックにおいて、遅延情報を含む要求辞書は有益である。
【００８９】
遅延情報は、次の２つの形態のうちの１つをとることができ、いくつかの実施形態において、これらの形態をとる。（１）ＷＴのキュー中のパケットのそれぞれにわたる最大キュー待ち遅延。ＷＴが複数のキューを有するケースにおいて、異なるトラフィックフローのそれぞれに対して、いくつかの実施形態において、１つ以上のキュー中のパケットにわたって最大値を計算できる。これらのキューのそれぞれは、異なるＱｏＳ要求を有するトラフィックを表すことができることに注目すべきである。通常、この最大値は、遅延感応性があるトラフィックフローに属するパケットに対して計算できる。（２）ＷＴのキュー中のパケットのそれぞれにわたる、スケジューリングデッドラインに対して残っている最小時間。再度、ＷＴが複数のキューを有する場合、異なるトラフィックフローのそれぞれに対して、いくつかの実施形態において、待ち時間または遅延の制約を有するパケットに対して、最小値を計算できる。
【００９０】
遅延情報そのものは、いくつかの方法で報告できる。例えば、例示的なＯＦＤＭワイヤレス通信システムのような例示的なシステムにおいて、例えば、遅延情報は、要求辞書を使用して送信できる。いくつかの例示的な実施形態において、例示的な要求辞書は、複数の異なるビットサイズの要求レポートを含み、例えば、例示的な要求辞書は、１ビット、３ビット、および４ビットの要求レポートを含む。これらのレポートのそれぞれは、ＷＴにおけるトラフィックフローにわたるバックログに関係する情報を提供するために使用される。
【００９１】
遅延情報が伝達されることになるいくつかの実施形態において、例えば、１ビットのレポートを使用して、Ｔｍｓよりも短い、デッドラインまでの残り時間を有するトラフィックの存在を簡単に示すことができる。例えば、Ｔは、２０ｍｓに等しいものとすることができる。例示的な要求辞書２に関して、Ｄは、ＷＴのキュー中のパケットのそれぞれのスケジューリングデッドラインまでの、ミリ秒での最小の残り時間を表すと仮定し、Ｎは、例えば、ＭＡＣフレームカウントのような、ＷＴにおける総バックログを表すと仮定する。
【００９２】
図１５の表１５００は、例示的な要求辞書２の一部である、例示的な１ビットのアップリンク要求レポートＵＬＲＱＳＴ１フォーマットを図示する。第１の列１５０２は、ＵＬＲＱＳＴ１レポートに対する、可能性があるビットパターンをリスト表示し、第２の列１５０４は、ビットパターンに対応する、伝えられる情報をリスト表示する。例えば、要求辞書２のＵＬＲＱＳＴ３およびＵＬＲＱＳＴ４のような、残りのレポートタイプは、例えば、トラフィックフローに対する、デッドラインまでの残り時間および総バックログのような、より詳細なバックログ情報を提供するために使用される。より正確に、デッドラインおよび総バックログ情報のうちの１つまたは両方を伝達するために、これらの要求レポートのそれぞれを使用できる。
【００９３】
要求辞書２に対応する３ビットおよび４ビットのレポートフォーマットをこれから記述する。要求辞書の１つの説明のための例において、要求辞書２は、図１６の表１６００および図１７の表１７００により表され、ＷＴは、３ビットのレポート中で総バックログ情報を送信する。その一方で、４ビットのレポートは、遅延情報および／またはバックログ情報のいずれかを送信するために使用される。この例示的な実施形態において、３ビットのレポートは、２つの制御係数であるｙおよびｚに依存し、ｙおよびｚは、次に、例えば、最後に報告されたアップリンクＤＣＣＨバックオフレポートｘのような以前の電力レポートと、例えば、最後に報告されたビーコン比レポートｂactualのような以前の干渉レポートとに依存する。ＷＴは、次に、ｂactual−BEACON RATIO OFFSETに等しくなるように、“調整された汎用のビーコン比”であるｂを計算する。最後に、Ｒmaxは、ＷＴがサポートできる最大のレートオプションであると仮定し、Ｎmaxは、そのレートオプションに対応するＭＡＣフレームの数であると仮定する。例示的な制御係数ｙおよびｚを決定するために使用される情報の例を表１４００中に示す。表１４００において、第１の列１４０２は、さまざまなテスト条件をリスト表示し、第２の列１４０４は、各条件に対する制御係数ｙの対応する値をリスト表示し、第３の列１４０６は、各条件に対応する制御係数ｚの対応する値をリスト表示する。表１４００において、ｘおよびｂが与えられると、第１列中の条件を満たすｙおよびｚの値を、第１の行から、上から下に進むように取り出す。
【００９４】
図１７の表１７００のフォーマットの４ビットのレポートにおいて、Ｄ≦Ｔmaxであり、かつ、少なくともいくつかのバックログがあるときはいつでも、ＷＴは、デッドラインまでの残り時間情報Ｄを送信する。例えば、Ｔmax＝１００ｍｓである。その他の場合、ＷＴは、バックログ情報を送信する。Δを次のように定義する。
【数１】
0005442832.tif 000002
【００９５】
ここでＮminは、図１６の表１６００を使用して、最新の３ビットのレポートの時間におけるＮの値に基づいて決定される。こうして、要求辞書２のフォーマットを使用するＵＬＲＱＳＴ４に対する｛０１１０、０１１１、１０００、１００１、１０１０｝の組におけるビットパターンに対して、Δが伝達され、Δは、以前の３ビットのアップリンク要求レポートＵＬＲＱＳＴ３中で伝達されたバックログ情報の関数であり、ここで、Ｎminの値は、以前に伝達された基準パラメータ値である。
【００９６】
追加の例示的な要求辞書である要求辞書３をこれから記述する。要求辞書３は、アップリンクトラフィックに対して、３つの異なるビットサイズの要求レポートであるＵＬＲＱＳＴ１と、ＵＬＲＱＳＴ３と、ＵＬＲＱＳＴ４とを使用し、そして、以前に伝達された要求レポートに関するデルタバックログ情報を伝える機会を含む少なくとも１つのレポートフォーマットを含む。
【００９７】
ＷＴは、ＵＬＲＱＳＴ１、ＵＬＲＱＳＴ３またはＵＬＲＱＳＴ４を使用して、ＷＴ送信機におけるＭＡＣフレームのキューのステータスを報告する。
【００９８】
ＷＴ送信機は、ＭＡＣフレームのキューを維持し、ＭＡＣフレームのキューは、リンクを通して送信すべきＭＡＣフレームをバッファリングする。ＭＡＣフレームは、ＬＬＣフレームから変換され、ＬＬＣフレームは、上位レイヤプロトコルのパケットから構成されている。いずれかのパケットは、予め定められた数の指定された送信ストリームのうちの１つに属する。この例示的な実施形態において、１６個の送信ストリームを有する実施を考える。パケットが１つのストリームに属する場合、そのパケットのすべてのＭＡＣフレームもまた、そのストリームに属する。
【００９９】
ＷＴは、送信する予定である１６個のストリーム中のＭＡＣフレームの数を報告する。ＡＲＱプロトコルにおいて、それらのＭＡＣフレームは、“新規”または“再送信すべき”として印が付けられる。ＷＴは、１６個の要素のベクトルＮ［０：１５］を維持すべきであり、スカラーＮTおよびＮDを維持するだろう。ｋ＝０：１５に対して、Ｎ［ｋ］は、ＷＴがストリームｋにおいて送信する予定であるＭＡＣフレームの数を表す。さらに、  
ＮT＝Ｎ［０］＋Ｎ［１］＋Ｎ［２］＋．．．＋Ｎ［１５］、かつ  
ＮD＝送信デッドラインまでの残り時間≦ＴMであるＭＡＣフレームの数であり、ここで、ＴM＝２０ｍｓである。ＷＴは、ＮTおよび／またはＮDに関する情報を基地局のセクタに報告すべきであり、それにより、基地局のセクタは、アップリンク（ＵＬ）スケジューリングアルゴリズム中でその情報を使用して、アップリンクトラフィックチャネル（ＵＬ．ＴＣＨ）セグメントの割当を決定できる。
【０１００】
要求辞書３に対して、図１９の表１９００にしたがって、ＷＴは、ＵＬＲＱＳＴ１を使用して、ＮDを報告する。第１の列１９０２は、代替ビットパターンを記述しており、第２の列１９０４は、各ビットパターンに対応する、伝えられる情報を記述している。ＵＬＲＱＳＴ１レポートが、情報ビットパターン＝０に設定される場合、送信されるのを待っている、送信デッドラインまでの残り時間≦２０ミリ秒である何らかのＭＡＣフレームをワイヤレス端末が有していないことを、レポートは伝える。ＵＬＲＱＳＴ１レポートが、情報ビットパターン＝１に設定される場合、送信されるのを待っている、送信デッドラインまでの残り時間≦２０ミリ秒である少なくとも１つのＭＡＣフレームをワイヤレス端末が有していることを、レポートは伝える。
【０１０１】
ＷＴは、要求辞書３にしたがって、ＵＬＲＱＳＴ３またはＵＬＲＱＳＴ４を使用して、ＮTおよびＮDのうちの１つ以上を報告する。ＵＬＲＱＳＴ３またはＵＬＲＱＳＴ４レポートの任意の所定の例が、ＮTまたはＮDの実際の値を完全に含んでいないかもしれないことを要求辞書３は示す。レポートは、実際上、ＮTまたはＮDの実際の値の量子化されたバージョンである。一般的なガイドラインは、ＷＴが、ＮTまたはＮDの、報告された値と実際の値との間の不一致を最小にするレポートを送るべきことである。しかしながら、ＷＴは、最もＷＴのためになるレポートを決定する柔軟性を有する。例えば、ＷＴが要求辞書３を使用しているとき、ＷＴは、ＵＬＲＱＳＴ４を使用して、いくつかのケースにおいてＮTを、そして、他のケースにおいてＮDを報告してもよい。さらに、ＷＴがＮTを報告する例において、それは、ＮD＝０ということを自動的に意味しないかもしれない。
【０１０２】
要求辞書３に対応するＵＬＲＱＳＴ３またはＵＬＲＱＳＴ４を決定するために、ＷＴは、例えば、図１４の表１４００にしたがって、２つのパラメータｙおよびｚを最初に計算し、次に、要求辞書ビットマッピング情報を使用する。最も最近のＵＬＴＸＢＫＦ５レポートの（ｄＢにおける）値をｘにより表し、最も最近の汎用のＤＬＢＮＲ４レポートの（ｄＢにおける）値をｂ0により表す。ｘに対する例示的な範囲は、６．５ｄＢから４０ｄＢである。ｂ0に対する例示的な範囲は、−３ｄＢから２６ｄＢである。ＷＴは、ｂ＝ｂ0−ulTCHrateFlashAssignmentOffsetとして、調整された汎用のＤＬＢＮＲ４レポート値ｂをさらに決定し、ここで、マイナスは、ｄＢの意味で規定される。ｘおよびｂが与えられると、ＷＴは、第１の列における条件を満たすｙおよびｚを図１４の表１４００中の第１の行から決定する。例えば、ｘ＝１７かつｂ＝１である場合、ｚ＝ｍｉｎ（３，Ｎmax）およびｙ＝１である。Ｒmaxは、ＷＴがサポートできる最も高いレートオプションを表し、Ｎmaxは、そのレートオプションで送信できるＭＡＣフレームの数を表す。
【０１０３】
図１９の表１９００および図２０の表２０００は、例示的な要求辞書３中に含まれるレポートフォーマットを規定する。表１９００は、バックログ情報を伝達する４ビットのアップリンク要求レポート（ＵＬＲＱＳＴ４）の例示的な要求辞書３のフォーマットを規定する。第１の列１９００は、ＵＬＲＱＳＴ４レポートにより伝えられる１６個の可能性があるビットパターンを含み、一方、第２、第３、および第４の列（１９０４、１９０６、１９０８）は、それぞれ、特定のビットパターンにより伝えられる、対応する情報を識別する。第２の列１９０４は、ＮTまたはＮDのいずれかに対応するフレームカウント情報を提供し、第３の列１９０６は、バックログを示す値である基準変数ＮTminを提供し、第４の列１９０８は、バックログを示す値である別の基準変数ｇを提供する。
【０１０４】
要求辞書３のフォーマットは、遅延値を直接伝達しないが、要求辞書３は、２つのバックログカウント変数であるＮTおよびＮDを使用することにより、遅延情報の間接的な伝達をサポートすることに注目すべきである。
【０１０５】
表２０００は、バックログ情報を伝達する３ビットのアップリンク要求レポート（ＵＬＲＱＳＴ３）の例示的な要求辞書３のフォーマットを規定する。第１の列２００２は、ＵＬＲＱＳＴ３レポートにより伝えられる９個の可能性があるビットパターンを含み、一方、第２の列２００４は、ＮTおよび／またはＮDに対応するフレームカウント情報を提供し、ＮTおよび／またはＮDは、以前に伝達されたＵＬＲＱＳＴ４レポートを参照するバックログ情報を含んでいる。例示的なフォーマットにおいて、各ビットパターンは、バックログ中に何らかのフレームがあるかどうかに関する表示を伝達する。
【０１０６】
Δを次のように定義する。
【数２】
0005442832.tif 000003
【０１０７】
ここで、ＮTminおよびｇは、図１９の表１９００に則って、最も最近のＵＬＲＱＳＴ４により決定される変数である。各ビットパターンはまた、変数ＮDでカウントされる何らかのフレームがバックログ中にあるかどうかに関する表示を伝達し、表示は、デルタバックログ情報と一緒にコード化されている。
【０１０８】
図２１は、異なる要求辞書に対応する複数ビットのアップリンク要求レポートの例示的なシーケンスを図示し、レポート間の相互依存を図示する図面である。時間軸２１０２は、レポートの時間の順序を図示するために設けられており、スケーリングするように図面が描かれていないことから、後続の要求レポート間の正確な時間関係は、図示されていない。
【０１０９】
要求レポート辞書１を使用するワイヤレス端末に対応するレポート（２１０４、２１０６、２１０８、２１１０、２１１２、２１１４）のシーケンスは、３ビットのアップリンク要求レポート（２１０６、２１１０、２１１４）が、それぞれ、最も最近に伝達された４ビットのアップリンク要求レポート（２１０４、２１０８、２１１２）を参照していることを図示する。ＵＬＲＱＳＴ３レポート２１０６は、バックログｄ123を示す値２１２０を伝達し、バックログｄ123を示す値２１２０は、ＵＬＲＱＳＴ４レポート２１０４を介して伝達された、値Ｎ123,min２１１６とパラメータｇの値２１１８との関数として決定される。同様に、ＵＬＲＱＳＴ３レポート２１１０は、バックログｄ123を示す値２１２６を伝達し、バックログｄ123を示す値２１２６は、ＵＬＲＱＳＴ４レポート２１０８を介して伝達された、値Ｎ123,min２１２２とパラメータｇの値２１２４との関数として決定される。同様に、ＵＬＲＱＳＴ３レポート２１１４は、バックログｄ123を示す値２１３２を伝達し、バックログｄ123を示す値２１３２は、ＵＬＲＱＳＴ４レポート２１１２を介して伝達された、値Ｎ123,min２１２８とパラメータｇの値２１３０との関数として決定される。
【０１１０】
要求レポート辞書３を使用するワイヤレス端末に対応する、レポート（２１３４、２１３６、２１３８、２１４０、２１４２、２１４４）のシーケンスは、４ビットのアップリンク要求レポート（２１３６、２１４０、２１４４）が、それぞれ、最も最近に伝達された４ビットのアップリンク要求レポート（２１３４、２１３８、２１４２）を参照することがあり、時には参照していることを図示する。各ＵＬＲＱＳＴ３レポート（２１３４、２１３８、２１４２）は、バックログを示す値Ｎmin（２１４６、２１５０、２１５４）を伝達し、Ｎmin（２１４６、２１５０、２１５４）は、後続の４ビットのアップリンク要求レポート（２１３６、２１４０、２１４４）による使用のために利用可能である。ＵＬＲＱＳＴ４レポート２１３６に関して、ワイヤレス端末は、バックログに関連した遅延情報を伝達する遅延値Ｄ２１４８を伝達することを決定しており、ビットパターン０００１、００１０、００１１、０１００および０１０１のうちの１つが伝達され、レポートは、以前の３ビットのアップリンク要求レポートを参照していない。ＵＬＲＱＳＴ４レポート２１４０に関して、ワイヤレス端末は、バックログΔを示す値２１５２を伝達することを決定しており、バックログΔを示す値２１５２は、ＵＬＲＱＳＴ３レポート２１３８を介して伝達された値Ｎmin２１５０の関数として決定され、ビットパターン０１００、０１１１、１０００、１００１、および１０１０のうちの１つが伝達される。ＵＬＲＱＳＴ４レポート２１４４に関して、ワイヤレス端末は、バックログ情報Ｎ／ｚ２１５６を伝達することを決定しており、ビットパターン００００、１０１１、１１００、１１０１、１１００、および１１１１のうちの１つが伝達され、レポートは、以前の３ビットのアップリンク要求レポートを参照していない。
【０１１１】
要求レポート辞書３を使用するワイヤレス端末に対応する、レポート（２１５８、２１６０、２１６２、２１６４、２１６６、２１６８）のシーケンスは、３ビットのアップリンク要求レポート（２１６０、２１６４、２１６８）が、それぞれ、最も最近に伝達された４ビットのアップリンク要求レポート（２１５８、２１６２、２１６６）を参照していることを図示する。ＵＬＲＱＳＴ３レポート２１６０は、バックログΔを示す値２１７４を伝達し、バックログΔを示す値２１７４は、ＵＬＲＱＳＴ４レポート２１５８を介して伝達された、値ＮTmin２１７０とパラメータｇの値２１７２との関数として決定される。同様に、ＵＬＲＱＳＴ３レポート２１６４は、バックログΔを示す値２１８０を伝達し、バックログΔを示す値２１８０は、ＵＬＲＱＳＴ４レポート２１６２を介して伝達された、値ＮTmin２１７６とパラメータｇの値２１７８との関数として決定される。同様に、ＵＬＲＱＳＴ３レポート２１６８は、バックログΔを示す値２１８６を伝達し、バックログΔを示す値２１８６は、ＵＬＲＱＳＴ４レポート２１６６を介して伝達された、値ＮTmin２１８２とパラメータｇの値２１８４との関数として決定される。
【０１１２】
ワイヤレス端末の要求／条件を特徴付ける制御レポートは、競合するユーザの間で、限定されたエアリンクリソースを効率的にスケジュールする際に有用である。制御シグナリングビットの効率的な利用は、通信システムにおいて高いデータのスループットを達成する際の重要な要因となり得る。要求辞書１および３を使用する例において、デルタ要求レポートは、以前の要求レポートを参照していないレポートよりも、より小さい固定されたサイズのレポートを利用することに注目すべきである。しかしながら、要求辞書２を使用する例において、デルタ要求レポートであるレポート２１４０は、参照されるレポート２１３８のビットサイズよりも大きいビットサイズを有する、固定されたサイズのレポートを利用する。しかしながら、要求辞書２のケースにおいて、ＵＬＲＱＳＴ４レポートフォーマットは、デルタレポーティングの代替に加えて、追加的なレポーティングの代替である、遅延情報の伝達と総バックログ情報の伝達とを可能にするように共用される。
【０１１３】
例えば、１ビット、３ビット、４ビット、のような、上述の例における要求レポートに対するビットサイズは、例示的であり、他の実施形態において、異なるビットサイズの要求レポートが使用されてもよく、時には使用される。例えば、別の例示的な組の要求レポートは、１ビット、３ビット、および５ビットのサイズのレポートを含む。
【０１１４】
ＯＦＤＭシステムという情況の中で記述してきたが、さまざまな実施形態の方法および装置は、多くの非ＯＦＤＭおよび／または非セルラシステムを含む広い範囲の通信システムに適用可能である。
【０１１５】
さまざまな実施形態において、ここで記述したノードは、１つ以上のモジュールを使用して実現され、そして、例えば、バックログレポートの送信、要求辞書の選択、特定の要求レポートに対するレポーティング代替の選択、デルタ情報の計算、決定された使用中の要求辞書にしたがう要求レポートの発生、および／または決定された使用中の要求辞書にしたがう要求レポート情報の回復のような、１つ以上の方法に対応するステップを実行する。いくつかの実施形態において、さまざまな機能が、モジュールを使用して実現される。このようなモジュールは、ソフトウェア、ハードウェア、またはソフトウェアとハードウェアとの組み合わせを使用して実現してもよい。ソフトウェアのような、機械実行可能命令を使用して、上記の方法または方法ステップの多くを実現でき、機械実行可能命令は、メモリデバイス、例えば、ＲＡＭ、フロッピー（登録商標）ディスク等のような、機械読取可能媒体中に含まれ、機械、例えば、追加的ハードウェアを有するまたは有さない汎用コンピュータを制御して、例えば、１つ以上のノード中で上記で説明した方法の全部または一部を実現する。したがって、とりわけ、さまざまな実施形態は、機械実行可能命令を含む機械読取可能媒体に向けられており、機械実行可能命令は、機械、例えば、プロセッサと、関係付けられたハードウェアとに、上記の方法の１つ以上のステップを実行させる。
【０１１６】
上で説明した方法および装置の数々の追加的変形は、上記の説明の観点から、当業者に明らかになるだろう。このような変形は、範囲内であるとして考えるべきである。さまざまな実施形態の方法および装置は、そして、さまざまな実施形態における方法および装置は、ＣＤＭＡ、直交周波数分割多重（ＯＦＤＭ）、および／または、アクセスノードと移動体ノードとの間にワイヤレス通信リンクを提供するのに使用されてもよいさまざまな他のタイプの通信技術とともに使用されてもよい。いくつかの実施形態では、アクセスノードは基地局として実現され、基地局は、ＯＦＤＭおよび／またはＣＤＭＡを使用して、移動体ノードとの通信リンクを確立する。さまざまな実施形態では、さまざまな実施形態の方法を実現するために、移動体ノードは、ノートブックコンピュータ、パーソナルデータアシスタント（ＰＤＡ）、あるいは、受信機／送信機回路と、論理および／またはルーチンとを含む他のポータブルデバイスとして実現される。
【図１】
0005442832.tif 000004
【図２】
0005442832.tif 000005
【図３】
0005442832.tif 000006
【図４】
0005442832.tif 000007
【図５】
0005442832.tif 000008
【図６】
0005442832.tif 000009
【図６Ａ】
0005442832.tif 000010
【図６Ｂ】
0005442832.tif 000011
【図７】
0005442832.tif 000012
【図８】
0005442832.tif 000013
【図９】
0005442832.tif 000014
【図１０】
0005442832.tif 000015
【図１１】
0005442832.tif 000016
【図１２】
0005442832.tif 000017
【図１３】
0005442832.tif 000018
【図１４】
0005442832.tif 000019
【図１５】
0005442832.tif 000020
【図１６】
0005442832.tif 000021
【図１７】
0005442832.tif 000022
【図１８】
0005442832.tif 000023
【図１９】
0005442832.tif 000024
【図２０】
0005442832.tif 000025
【図２１】
0005442832.tif 000026